(57)【要約】【課題】従来のような複雑な機構をなくし、組立の困難性を排除した新規な機構のフラット引戸を提供すること。【解決手段】閉じ状態において隣接する第１の戸板１並びに第２の戸板２が面一状になる吊り形式の引戸であって、左右の戸板１，２のライナー５，６を夫々専用のレール３，４に沿って直線方向にのみ走行するようにし、且つ開放時には一方の戸板２のみを回動リンク９によって隣接する他方の戸板１の移行経路から回避するようにした新規な構造のフラット引戸。【選択図】　　　　図１
2004019336.tif 000002
【特許請求の範囲】
【請求項１】
閉じ状態において隣接する第１の戸板（１）並びに第２の戸板が（２）面一状になる吊り形式の引戸であって、第１の戸板（１）の上端面に設けられた前後一対のライナー（５）、（５）が走行する第１のレール（３）と、該第１のレール（３）と平行に配置され且つ第２の戸板（２）の上端面に設けられた前後一対のライナー（６）、（６）が走行する第２のレール（４）とを含み、前記第１の戸板（１）のライナー（５）、（５）は固定アーム（７）を介して戸板本体に固定され、第２の戸板（２）のライナー（６）、（６）は戸板上面に縦軸（８）の周りで揺動可能に取り付けられた回動リンク（９）の中間にライナー軸（１０）を介して取り付けられて回動リンク（９）が回動することにより第２の戸板（２）が隣接する第１の戸板（１）の走行経路から回避するように形成されており、前記回動リンク（９）の後端にカム（１１）が形成されていて第１の引戸（１）から延設されたカムフロアー（１２）に当接することにより回動リンク（９）が前記回避位置に回動すべく形成されているフラット引戸。
【請求項２】
前記第２の引き戸（２）が回避位置に移行して走行するときにその姿勢を保持する保持手段が設けられている請求項１に記載のフラット引戸。
【発明の詳細な説明】
【０００１】
【発明が属する技術分野】
本発明は、閉じ状態において隣接する第１並びに第２の戸板が面一状になる吊り形式の引戸に関するものである。
【０００２】
【従来の技術】
従来から、閉じ状態において隣接する第１並びに第２の戸板が面一状になるフラット引戸は各種の構造のものが開示されており、本出願人も特開昭５８ー１０６０７９号や特開昭５９ー２１０１７４号、特開昭６０ー１０９４７６号、特開昭６１ー１８６６１９号、特開昭６１ー２７０４８７号、特開昭６２ー６０８０号、実開昭６２ー１４１８７３号等で提案している。
【０００３】
【発明が解決しようとする課題】
これら従来の吊り形式のフラット引戸は、フラットな閉じ姿勢から一方の戸板をあけるときに、戸板に設けた先導端側のライナーを引込み位置から直線状の主レールに移行させる構造となっている。その為ライナーを引き込み位置から主レールに移行させる構造が複雑となると共に、精密に組み立てないとスムースに動作することができず、その為に木製家具等えの組み付け作業が大変面倒であると共に長期使用中に取り付け部の緩み等によってトラブルが発生し易い、といった問題点がある。
【０００４】
そこで本発明は、左右の戸板のライナーを夫々専用のレールに沿って直線方向にのみ走行するようにし、且つ開放時には一方の戸板のみ回動リンクによって隣接する他方の戸板の移行経路から回避するようにして従来のようなライナーを引込み位置から主レールに移行させる機構を排除し、これにより構造を簡略化して組み付け作業を容易に行うことができるようにした新規な構造のフラット引戸を提供することを主たる目的とするものである。
【０００５】
【課題を解決するための手段】
上記目的を達成する為に本発明では次のような技術的手段を講じた。即ち、本発明に係るフラット引戸にあっては、閉じ状態において隣接する第１の戸板１並びに第２の戸板２が面一状になる吊り形式の引戸であって、第１の戸板１の上端面に設けられた前後一対のライナー５、５が走行する第１のレール３と、該第１のレール３と平行に配置され且つ第２の戸板２の上端面に設けられた前後一対のライナー６、６が走行する第２のレール４とを含み、前記第１の戸板１のライナー５、５は固定アーム７を介して戸板本体に固定され、第２の戸板２のライナー６、６は戸板上面に縦軸８の周りで揺動可能に取り付けられた回動リンク９の中間にライナー軸１０を介して取り付けられて回動リンク９が回動することにより第２の戸板２が隣接する第１の戸板１の走行経路から回避するように形成されており、前記回動リンク９の後端にカム１１が形成されていて第１の引戸１から延設されたカムフロアー１２に当接することにより回動リンク９が前記回避位置に回動すべく形成されている構造とした。
【０００６】
また本発明では、前記第２の引き戸２が回避位置に移行して走行するときにその姿勢を保持する保持手段が設けられている構造も特徴とする。
【０００７】
上記保持手段は、回動リンク９が回避位置まで回動したときにそれ以上の回動を規制するストッパー１３を設けると共に、回避位置で回動リンク９が第２の戸板２と共にライナー６，６によってレール４に沿って移行するときにレール４と平行に設けられたガイドプレート１４に滑動可能に接触して回動リンク９の姿勢を保持する姿勢制御ローラー１５を後側の回動リンク９に設けた構造とするのが好ましい。この場合、第２の戸板２を閉じるときに該戸板２の最終閉じ位置で姿勢制御ローラー１５がガイドプレート１４から遊離して回動リンク９が元位置に回動できるように、ガイドプレート１４の末端部を切除することが必要である。
【０００８】
前記左右の回動リンク９，９は夫々の縦軸８，８並びにライナー軸１０，１０によって構成される４点リンク構造によって何れか一方の回動リンクが回動すれば他方の回動リンクも連動して動作するが、動作をより確実にするために連結バー１６によって両者を連結するのが好ましい。
【０００９】
【発明の実施の形態】
図１〜図は本発明に係るフラット引戸の第１の実施例を示すものであって、閉じ状態において左右の第１の戸板１並びに第２の戸板２が面一状になる吊り形式のフラット引戸であって、第１の戸板１の上端面に設けられた前後一対のライナー５、５が走行する直線状の第１のレール３と、該第１のレール３と平行に配置され且つ第２の戸板２の上端面に設けられた前後一対のライナー６、６が走行する直線状の第２のレール４とを含む。この第１のレール１並びに第２のレール２は家具等の間口の上部柱枠の下面に取り付けられ、第１のレール１が第２のレール２の背面側に位置するように配置される。前記ライナー５，６は前記夫々のレール１，２内に下方に脱落しないように走行可能に装着されている。
【００１０】
前記第１の戸板１のライナー５、５は固定アーム７を介して戸板本体に固定されて第１のレール３に沿って戸板１と共に直線的に走行するように形成されている。
【００１１】
第２の戸板２のライナー６、６は戸板上面に縦軸８の周りで揺動可能に取り付けられた回動リンク９の中間にライナー軸１０を介して取り付けられて第２のレールに沿って直線的に走行するように形成されている。回動リンク９は縦軸８を支点として図中反時計方向に回動することにより、第２の戸板２が図２に示す閉じ状態から図３で示すように隣接する第１の戸板１の走行経路から回避する回避位置に移行できるように形成されている。
【００１２】
先導端側の回動アーム９の後端にカム１１が形成され、第１の引戸１から前記カム１１に当接するカムフロアー１２が延設されている。そして図２に示す閉じ姿勢からカムフロアー１２がカム１１に当接することにより回動リンク９が図中反時計方向に回動して、第２の引戸２を図３に示すように第１の引戸１の走行経路から間口前方側の回避位置に移行するように形成されている。
【００１３】
また、前記第２の引き戸２が回避位置に移行して走行するときにその姿勢を保持する保持手段が設けられている。この保持手段として本実施例では、回動リンク９が回避位置まで回動したときにそれ以上の回動を規制するストッパー１３が設けられ、回避位置で回動リンク９が第２の戸板２と共にライナー６，６によってレール４に沿って移行するときにレール４と平行に設けられたガイドプレート１４に滑動可能に接触して回動リンク９の姿勢を保持する姿勢制御ローラー１５が後側の回動リンク９に設けられている。尚、第２の戸板２を閉じるときに該戸板２の最終閉じ位置で姿勢制御ローラー１５がガイドプレート１４から遊離して回動リンク９が元位置に回動できるように、ガイドプレート１４の末端部が切除されている。
【００１４】
符号１６は、左右の回動リンク９，９を確実に連動動作させるために左右の回動リンク９，９を連結する連結バーである。
【００１５】
上記の如く構成されたフラット引戸にあっては、図２に示す閉じ姿勢から右側の第２の戸板２を開き方向（図中左方向）に引くと、先導端側の回動リンク９のカム１１がカムフロアー１２に当接して図３に示すように第１の引戸１の走行経路から間口前方側の回避位置に移行し、この状態で図４に示すようにライナー６，６が第２のレール４に沿って走行して戸板２を開けることができる。また図２の閉じ姿勢から左側の第１の引戸１を開き方向（図中右方向）に引くと、前記と同様にカムフロアー１２が回動リンク９のカム１１に当接して第２の引戸２が図３に示す回避位置に移行するので、第２の引戸２によって邪魔されることなく第１の引戸１を開くことができる。
【００１６】
また本発明では、左右の戸板１，２が大型で重量がある場合は、図示は省略するが、各戸板１，２の下端面にピンやローラー等の下部走行体を設けると共に、間口の下枠にガイドレールを設けてこのガイドレールに下部走行体を走行させるようにするのがよい。これによって、戸板１，２の煽りや傾斜現象を防止することができる。
【００１７】
以上本発明の代表的と思われる実施例について説明したが、本発明は必ずしもこれらの実施例構造のみに限定されるものではない。例えば上記実施例では第１のレール３，第２のレール４並びにガイドプレート１４を一体的に形成したが、夫々別体で形成してもよい。また回動リンク９の回動を規制するストッパー１２は縦軸８に組み込んで形成することも可能である。その他本発明ではその構成要件を備え、かつ本発明の目的を達成し、下記の効果を奏する範囲内において適宜改変して実施できるものである。
【００１８】
【発明の効果】
本発明は上記の如く、左右の戸板のライナーが夫々専用のレールに沿って直線方向にのみ走行するようにしたから、走行がスムースであると共に、開放時には一方の戸板のみ回動リンクによって隣接する他方の戸板の移行経路から回避するようにしたから、従来のようなライナーを引込み位置から主レールに移行させる機構を排除して構造を簡略化すると共に、組み付け作業の困難性やトラブル発生要因を無くすることができる、といった顕著な効果がある。
【図面の簡単な説明】
【図１】本発明に係るフラット引戸の要部を示す斜視図。
【図２】上記フラット引戸の閉じ姿勢を示す一部断面平面図。
【図３】上記フラット引戸の開放するときの初期姿勢を示す一部断面平面図。
【図４】上記フラット引戸の開放するときの中間を示す一部断面平面図。
【符号の説明】
１　第１の引戸
２　第２の引戸
３　第１のレール
４　第２のレール
５　第１の引戸のライナー
６　第２の引戸のライナー
７　固定アーム
８　回動リンクの縦軸
９　回動リンク
１０　ライナー軸
１１　カム
１２　カムフロアー
【図１】
2004019336.tif 000003
【図２】
2004019336.tif 000004
【図３】
2004019336.tif 000005
【図４】
2004019336.tif 000006